(57)【特許請求の範囲】
【請求項１】
分散パイロット信号が所定のサブキャリアに挿入された直交周波数分割多重信号を示す受信信号データを入力し、伝送データを復元する直交周波数分割多重信号受信装置であって、
入力された受信信号データをフーリエ変換する第１のフーリエ変換手段と、
前記第１のフーリエ変換手段によりフーリエ変換された受信信号データに基づいて、分散パイロット信号を伝送したサブキャリアに対する伝送路特性を特定する特性特定手段と、
前記特性特定手段により特定された分散パイロット信号を伝送したサブキャリアに対する伝送路特性を、シンボル方向に補間する第１の補間手段と、
前記第１の補間手段によりシンボル方向に補間された伝送路特性をサブキャリア方向に補間して、全サブキャリアに対する伝送路特性を特定する第２の補間手段と、
前記第１のフーリエ変換手段によりフーリエ変換された受信信号データと、前記第２の補間手段が特定した伝送路特性を示すデータとの複素演算により、受信信号データの等化処理を実行する等化処理手段と、
前記等化処理手段により等化された受信信号データから伝送データを復元するデマッピング手段とを備え、
前記第２の補間手段は、
前記第１の補間手段によりシンボル方向に補間された伝送路特性を示すデータを、逆フーリエ変換する逆フーリエ変換手段と、
前記逆フーリエ変換手段の逆フーリエ変換により生成されたデータの一部をゼロとして削除することにより、伝送路特性を示すデータを調整するデータ調整手段と、
前記データ調整手段により調整されたデータをフーリエ変換して全サブキャリアに対する伝送路特性を示すデータを生成し、前記等化処理手段に供給する第２のフーリエ変換手段と、
前記特性特定手段により特定された分散パイロット信号を伝送したサブキャリアに対する伝送路特性を、逆フーリエ変換することにより、遅延プロファイルを作成する遅延プロファイル作成手段とを備え、
前記データ調整手段は、前記遅延プロファイル作成手段により作成された遅延プロファイルに基づいて、前記逆フーリエ変換手段の逆フーリエ変換により生成されたデータのうちで削除するデータを決定する、
ことを特徴とする直交周波数分割多重信号受信装置。
【請求項２】
前記データ調整手段は、前記遅延プロファイル作成手段により作成された遅延プロファイルを用いて、直接波に相当する成分から、直接波よりガードインターバル区間だけ遅延した遅延波に相当する成分までが含まれる領域をデータ抽出領域として特定し、前記逆フーリエ変換手段の逆フーリエ変換により生成されたデータにおいて、当該データ抽出領域に含まれるデータのみを有効として抽出し、他のデータをゼロとして、前記第２のフーリエ変換手段に供給することにより、前記逆フーリエ変換手段により生成されたデータの一部を削除する、
ことを特徴とする請求項１に記載の直交周波数分割多重信号受信装置。
【請求項３】
前記データ調整手段は、前記遅延プロファイル作成手段により作成された遅延プロファイルを用いて、直接波に相当する成分から、最長経路となる遅延波に相当する成分までが含まれる領域をデータ抽出領域として特定し、前記逆フーリエ変換手段の逆フーリエ変換により生成されたデータにおいて、当該データ抽出領域に含まれるデータのみを有効として抽出し、他のデータをゼロとして、前記第２のフーリエ変換手段に供給することにより、前記逆フーリエ変換手段により生成されたデータの一部を削除する、
ことを特徴とする請求項１に記載の直交周波数分割多重信号受信装置。
【請求項４】
前記データ調整手段は、前記遅延プロファイル作成手段により作成された遅延プロファイルから、予め定めた閾値以上の大きさを有する成分を特定し、前記逆フーリエ変換手段の逆フーリエ変換により生成されたデータにおいて、特定した成分に相当するデータのみを有効として抽出し、他のデータをゼロとして、前記第２のフーリエ変換手段に供給することにより、前記逆フーリエ変換手段により生成されたデータの一部を削除する、
ことを特徴とする請求項１に記載の直交周波数分割多重信号受信装置。
【請求項５】
分散パイロット信号が所定のサブキャリアに挿入された直交周波数分割多重信号を示す受信信号データから、伝送データを復元する直交周波数分割多重信号受信方法であって、
受信信号データをフーリエ変換する第１のフーリエ変換ステップと、
前記第１のフーリエ変換ステップにてフーリエ変換した受信信号データに基づいて、分散パイロット信号を伝送したサブキャリアに対する伝送路特性を特定する特性特定ステップと、
前記特性特定ステップにて特定した伝送路特性を、シンボル方向に補間する第１の補間ステップと、
前記第１の補間ステップにてシンボル方向に補間した伝送路特性をサブキャリア方向に補間することにより、全サブキャリアに対する伝送路特性を特定する第２の補間ステップと、
前記第１のフーリエ変換ステップにてフーリエ変換した受信信号データと、前記第２の補間ステップにて特定した全サブキャリアに対する伝送路特性を示すデータとの複素演算により、受信信号データの等化処理を実行する等化処理ステップと、
前記等化処理ステップにて等化した受信信号データから伝送データを復元するデマッピングステップとを備え、
前記第２の補間ステップは、
前記第１の補間ステップにてシンボル方向に補間した伝送路特性を示すデータを、逆フーリエ変換する逆フーリエ変換ステップと、
前記逆フーリエ変換ステップの逆フーリエ変換により生成されたデータの一部をゼロとして削除することにより、伝送路特性を示すデータを調整するデータ調整ステップと、
前記データ調整ステップにて調整したデータをフーリエ変換して全サブキャリアに対する伝送路特性を示すデータを生成し、前記等化処理ステップの複素演算に供する第２のフーリエ変換ステップと、
前記特性特定ステップにて特定された分散パイロット信号を伝送したサブキャリアに対する伝送路特性を、逆フーリエ変換することにより、遅延プロファイルを作成する遅延プロファイル作成ステップとを備え、
前記データ調整ステップは、前記遅延プロファイル作成ステップにより作成された遅延プロファイルに基づいて、前記逆フーリエ変換ステップの逆フーリエ変換により生成されたデータのうちで削除するデータを決定する、
ことを特徴とする直交周波数分割多重信号受信方法。
【発明の詳細な説明】
【０００１】
【発明の属する技術分野】
この発明は、直交周波数分割多重化が施された信号を受信して伝送データを復元する直交周波数分割多重信号受信装置に係り、特に、受信信号を適切に等化して伝送データを復元可能とする直交周波数分割多重信号受信装置に関する。
【０００２】
【従来の技術】
ディジタル信号を伝送する方式の１つとして、直交周波数分割多重（ＯＦＤＭ；Orthogonal Frequency Division Multiplex）方式が知られている。
この直交周波数分割多重方式には、既定の振幅、位相及びタイミングを有するパイロット信号を、所定のサブキャリアに挿入してデータを伝送するものがある。
例えば、直交周波数分割多重方式を用いたＤＶＢ−Ｔ（Digital Video Broadcasting-Terrestrial）やＩＳＤＢ−Ｔ（Integrated Services Digital Broadcasting-Terrestrial）における同期変調用のシステムでは、ＳＰ（Scattered Pilot；分散パイロット）信号と呼ばれるパイロット信号が使用される。
【０００３】
このＤＶＢ−ＴやＩＳＤＢ−Ｔのシステムに適用されて直交周波数分割多重信号を受信し、等化器を用いた構成により伝送データを復元する受信装置は、まず、受信信号データに基づいて、ＳＰ信号を伝送したサブキャリアに対する伝送路特性を求める。次に、受信装置は、シンボルフィルタ及びサブキャリアフィルタ等により、伝送路特性を示すデータを、それぞれシンボル方向（時間方向）及びサブキャリア方向（周波数方向）にフィルタリングする。これにより、ＳＰ信号を伝送したサブキャリアに対してのみ特定された伝送路特性を内挿して補間し、全サブキャリアに対する伝送路特性を示す伝送路特性データを求める。
【０００４】
受信装置は、このようにして求めた伝送路特性データを用いて、受信信号データを複素除算することなどにより、伝送路の影響に対応して等化した受信信号データを得て、デマッピング等により、伝送データを復元することができる。
【０００５】
ここで、伝送路特性を示すデータをサブキャリア方向（周波数方向）にフィルタリングして補間するサブキャリアフィルタには、通常、ＬＰＦ（Low Pass Filter）が用いられる。
【０００６】
【発明が解決しようとする課題】
上記従来技術では、伝送路特性を示すデータを、ＬＰＦによりフィルタリングしてサブキャリア方向（周波数方向）に補間し、全サブキャリアに対する伝送路特性データを求める。
この際、通過帯域のリップル（脈動）や遮断帯域の減衰特性の影響を受け、フィルタリング処理を施した伝送路特性データに誤差が生じることがあった。
このようにフィルタリング処理を施した伝送路特性データに誤差が生じると、受信信号データにも誤差が生じ、伝送データを正しく復元できなくなることがあった。
【０００７】
この発明は、上記実状に鑑みてなされたものであり、受信信号を適切に等化して正しい伝送データを復元可能とする直交周波数分割多重信号受信装置を提供することを目的とする。
【０００８】
【課題を解決するための手段】
上記目的を達成するため、この発明の第１の観点に係る直交周波数分割多重信号受信装置は、
分散パイロット信号が所定のサブキャリアに挿入された直交周波数分割多重信号を示す受信信号データを入力し、伝送データを復元するものであって、
入力された受信信号データをフーリエ変換する第１のフーリエ変換手段と、
前記第１のフーリエ変換手段によりフーリエ変換された受信信号データに基づいて、分散パイロット信号を伝送したサブキャリアに対する伝送路特性を特定する特性特定手段と、
前記特性特定手段により特定された分散パイロット信号を伝送したサブキャリアに対する伝送路特性を、シンボル方向に補間する第１の補間手段と、
前記第１の補間手段によりシンボル方向に補間された伝送路特性をサブキャリア方向に補間して、全サブキャリアに対する伝送路特性を特定する第２の補間手段と、
前記第１のフーリエ変換手段によりフーリエ変換された受信信号データと、前記第２の補間手段が特定した伝送路特性を示すデータとの複素演算により、受信信号データの等化処理を実行する等化処理手段と、
前記等化処理手段により等化された受信信号データから伝送データを復元するデマッピング手段とを備え、
前記第２の補間手段は、
前記第１の補間手段によりシンボル方向に補間された伝送路特性を示すデータを、逆フーリエ変換する逆フーリエ変換手段と、
前記逆フーリエ変換手段の逆フーリエ変換により生成されたデータの一部をゼロとして削除することにより、伝送路特性を示すデータを調整するデータ調整手段と、
前記データ調整手段により調整されたデータをフーリエ変換して全サブキャリアに対する伝送路特性を示すデータを生成し、前記等化処理手段に供給する第２のフーリエ変換手段と、
前記特性特定手段により特定された分散パイロット信号を伝送したサブキャリアに対する伝送路特性を、逆フーリエ変換することにより、遅延プロファイルを作成する遅延プロファイル作成手段とを備え、
前記データ調整手段は、前記遅延プロファイル作成手段により作成された遅延プロファイルに基づいて、前記逆フーリエ変換手段の逆フーリエ変換により生成されたデータのうちで削除するデータを決定する、
ことを特徴とする。
【０００９】
この発明によれば、逆フーリエ変換手段は、第１の補間手段によりシンボル方向に補間された伝送路特性を示すデータを逆フーリエ変換する。データ調整手段は、逆フーリエ変換手段により生成されたデータの一部をゼロとして削除することにより、伝送路特性を示すデータを調整する。第２のフーリエ変換手段は、データ調整手段により調整されたデータをフーリエ変換して全サブキャリアに対する伝送路特性を示すデータを生成する。
これにより、伝送路特性を示すデータに誤差が生じることを防止でき、受信信号データを適切に補正して、正しい伝送データを復元することができる。
【００１２】
例えば、前記データ調整手段は、前記遅延プロファイル作成手段により作成された遅延プロファイルを用いて、直接波に相当する成分から、直接波よりガードインターバル区間だけ遅延した遅延波に相当する成分までが含まれる領域をデータ抽出領域として特定し、前記逆フーリエ変換手段の逆フーリエ変換により生成されたデータにおいて、当該データ抽出領域に含まれるデータのみを有効として抽出し、他のデータをゼロとして、前記第２のフーリエ変換手段に供給することにより、前記逆フーリエ変換手段により生成されたデータの一部を削除してもよい。
【００１３】
また、前記データ調整手段は、前記遅延プロファイル作成手段により作成された遅延プロファイルを用いて、直接波に相当する成分から、最長のマルチパスに相当する成分までが含まれる領域をデータ抽出領域として特定し、前記逆フーリエ変換手段の逆フーリエ変換により生成されたデータにおいて、当該データ抽出領域に含まれるデータのみを有効として抽出し、他のデータをゼロとして、前記第２のフーリエ変換手段に供給することにより、前記逆フーリエ変換手段により生成されたデータの一部を削除してもよい。
【００１４】
あるいは、前記データ調整手段は、前記遅延プロファイル作成手段により作成された遅延プロファイルから、予め定めた閾値以上の大きさを有する成分を特定し、前記逆フーリエ変換手段の逆フーリエ変換により生成されたデータにおいて、特定した成分に該当するデータのみを有効として抽出し、他のデータをゼロとして、前記第２のフーリエ変換手段に供給することにより、前記逆フーリエ変換手段により生成されたデータの一部を削除してもよい。
【００１５】
また、この発明の第２の観点に係る直交周波数分割多重信号受信方法は、
分散パイロット信号が所定のサブキャリアに挿入された直交周波数分割多重信号を示す受信信号データから、伝送データを復元する方法であって、
受信信号データをフーリエ変換する第１のフーリエ変換ステップと、
前記第１のフーリエ変換ステップにてフーリエ変換した受信信号データに基づいて、分散パイロット信号を伝送したサブキャリアに対する伝送路特性を特定する特性特定ステップと、
前記特性特定ステップにて特定した伝送路特性を、シンボル方向に補間する第１の補間ステップと、
前記第１の補間ステップにてシンボル方向に補間した伝送路特性をサブキャリア方向に補間することにより、全サブキャリアに対する伝送路特性を特定する第２の補間ステップと、
前記第１のフーリエ変換ステップにてフーリエ変換した受信信号データと、前記第２の補間ステップにて特定した全サブキャリアに対する伝送路特性を示すデータとの複素演算により、受信信号データの等化処理を実行する等化処理ステップと、
前記等化処理ステップにて等化した受信信号データから伝送データを復元するデマッピングステップとを備え、
前記第２の補間ステップは、
前記第１の補間ステップにてシンボル方向に補間した伝送路特性を示すデータを、逆フーリエ変換する逆フーリエ変換ステップと、
前記逆フーリエ変換ステップの逆フーリエ変換により生成されたデータの一部をゼロとして削除することにより、伝送路特性を示すデータを調整するデータ調整ステップと、
前記データ調整ステップにて調整したデータをフーリエ変換して全サブキャリアに対する伝送路特性を示すデータを生成し、前記等化処理ステップの複素演算に供する第２のフーリエ変換ステップと、
前記特性特定ステップにて特定された分散パイロット信号を伝送したサブキャリアに対する伝送路特性を、逆フーリエ変換することにより、遅延プロファイルを作成する遅延プロファイル作成ステップとを備え、
前記データ調整ステップは、前記遅延プロファイル作成ステップにより作成された遅延プロファイルに基づいて、前記逆フーリエ変換ステップの逆フーリエ変換により生成されたデータのうちで削除するデータを決定する、
ことを特徴とする。
【００１６】
【発明の実施の形態】
以下に、図面を参照して、この発明の実施の形態に係る直交周波数分割多重信号受信装置１００について詳細に説明する。
この発明の実施の形態に係る直交周波数分割多重信号受信装置１００は、例えば直交検波器の検波により得られたベースバンドの受信信号データを入力し、送信側から送られた伝送データを復元する。
ここで、直交検波器が検波する信号は、例えば、アンテナにより受信されてダウンコンバートされたのち、ＡＤＣ（Analog/Digital Converter）によりディジタル化されたＩＦ（Intermediate Frequency）信号である。
【００１７】
この直交周波数分割多重信号受信装置１００に入力する受信信号データは、送信側において直交周波数分割多重化が施され、シンボル周期で互いに直交する多数のサブキャリアを用いて伝送された直交周波数分割多重信号を、ディジタル化したデータである。
【００１８】
この直交周波数分割多重化信号には、シンボル方向（時間方向）に４シンボルを周期とし、サブキャリア方向（周波数方向）に１２個のサブキャリアを周期とした所定のサブキャリアに、受信側において既知の振幅及び位相を有するＳＰ（Scattered Pilot；分散パイロット）信号が挿入されている。
【００１９】
こうした直交周波数分割多重信号を受信して伝送データを復元するため、この直交周波数分割多重信号受信装置１００は、図１に例示するように、ＦＦＴ（Fast Fourier Transform；高速フーリエ変換）回路１０と、等化処理回路１１と、デマッパ回路１２とを備えて構成される。
【００２０】
ＦＦＴ回路１０は、直交検波器の検波により得られた受信信号データをフーリエ変換して、時間軸上の時系列データから周波数軸上の周波数成分データに変換するためのものであり、周波数成分データに変換した受信信号データを、等化処理回路１１に送る。
【００２１】
等化処理回路１１は、受信信号データの等化処理を実行して、伝送路の影響等により劣化した受信信号データを補償するためのものであり、図２に示すように、特性データ算出処理部２０と、シンボル方向補間処理部２１と、サブキャリア方向補間処理部２２と、等化演算処理部２３とを備えている。
【００２２】
特性データ算出処理部２０は、例えば、ＦＦＴ回路１０によりフーリエ変換された受信信号データから、ＳＰ信号を伝送したサブキャリアを抽出し、所定のタイミングで発生させた基準用のＳＰ信号を示すデータで複素除算することにより、伝送路の特性を示す伝送路特定データを生成する。
この際、特性データ算出処理部２０は、ＳＰ信号を伝送したサブキャリアに対する伝送路特性を示す伝送路特性データを複素除算により求め、他のサブキャリアに対する伝送路特性データとしてゼロを挿入する。
【００２３】
シンボル方向補間処理部２１は、例えばＦＩＲ（Finite Impulse Response）フィルタ、あるいはＩＩＲ（Infinite Impulse Response）フィルタ等を用いて構成され、特性データ算出処理部２０によりＳＰ信号を伝送したサブキャリアに対して特定された伝送路特性データを、シンボル方向（時間方向）に内挿して補間する。シンボル方向補間処理部２１は、フィルタリング処理によりシンボル方向に補間した伝送路特性データを、サブキャリア方向補間処理部２２に送る。
【００２４】
サブキャリア方向補間処理部２２は、シンボル方向（時間方向）に補間された伝送路特性データをサブキャリア方向（周波数方向）に補間して全サブキャリアに対する伝送路特性データを生成するためのものである。
図３は、サブキャリア方向補間処理部２２の構成を示す図である。
図示するように、サブキャリア方向補間処理部２２は、特性データＩＦＦＴ（Inverse FFT；逆高速フーリエ変換）処理部３０と、特性データ調整処理部３１と、特性データＦＦＴ処理部３２とを備えて構成される。
【００２５】
特性データＩＦＦＴ処理部３０は、伝送路特性データを逆フーリエ変換して、周波数軸上のデータから時間軸上のデータに変換するためのものである。
【００２６】
特性データ調整処理部３１は、特性データＩＦＦＴ処理部３０から受けた伝送路特性データのうちの一部を抽出し、残りのデータをゼロとして削除することにより、伝送路特性データを調整するためのものである。
例えば、特性データ調整処理部３１は、特性データＩＦＦＴ処理部３０により逆フーリエ変換された伝送路特性データにおいて、サンプル数の３分の１に相当する領域のデータのみを有効として抽出し、他の領域のデータをゼロとして削除する。
【００２７】
特性データＦＦＴ処理部３２は、特性データ調整処理部３１により調整された伝送路特性データをフーリエ変換して、時間軸上のデータから周波数軸上のデータに変換するためのものである。
【００２８】
図２に示す等化演算処理部２３は、数値演算回路等から構成され、例えば、サブキャリア方向補間処理部２２により特定された全サブキャリアに対する伝送特性データを用いて、ＦＦＴ回路１０から受けた受信信号データを複素除算することにより、受信信号データを等化するためのものである。
【００２９】
図１に示すデマッパ回路１２は、例えばＲＯＭ（Read Only Memory）等から構成され、複素平面上のシンボル配置図に基づいて、等化処理回路１１により等化された受信信号データから伝送データを復元するデマッピング処理を実行するためのものである。
すなわち、デマッパ回路１２は、例えば６４ＱＡＭ（Quadrature Amplitude Modulation）といった多値変調方式で変調された受信信号データの同相成分及び直交成分から、複素平面上で予め定められた座標値と伝送データとの対応関係に基づいて、伝送データを復元する。
デマッパ回路１２は、復元した伝送データを、デインターリーブ回路等に出力し、伝送データについての処理に供する。
【００３０】
以下に、この発明の実施の形態に係る直交周波数分割多重信号受信装置１００の動作を説明する。
この直交周波数分割多重信号受信装置１００が伝送データを復元する際には、まず、直交検波器の検波により得られた受信信号データをＦＦＴ回路１０が受けてフーリエ変換を施し、時系列データから周波数成分データに変換する。
ＦＦＴ回路１０は、周波数系列データとした受信信号データを等化処理回路１１に送る。
【００３１】
次に、等化処理回路１１は、ＦＦＴ回路１０から受けた受信信号データを等化するための処理を実行する。
図４は、等化処理回路１１に入力される受信信号データが示す直交周波数分割多重信号の構成を示す図である。
図４において添字ＳＰを付したサブキャリアは、送信側においてＳＰ信号が挿入されたサブキャリアである。
すなわち、ＳＰ信号は、シンボル方向（時間方向）に４シンボルを周期とし、サブキャリア方向（周波数方向）に１２個のサブキャリアを周期とした所定のサブキャリアに挿入されて伝送される。
【００３２】
例えば、特性データ算出処理部２０は、ＳＰ信号を伝送したサブキャリア（図４において添字ＳＰを付して示す）を、受信側において既知の振幅、位相及びタイミングで発生させた基準用のＳＰ信号で複素除算する。これにより、ＳＰ信号を伝送したサブキャリアに対する伝送路特性を求めることができる。
特性データ算出処理部２０は、ＳＰ信号を伝送したサブキャリアに対して求めた伝送路特性を示す伝送路特性データを、シンボル方向補間処理部２１に送る。
この際、特性データ算出処理部２０は、ＳＰ信号を伝送したサブキャリア以外のサブキャリアに対する伝送路特性データとしてゼロを挿入して、シンボル方向補間処理部２１に送る。
【００３３】
シンボル方向補間処理部２１は、特性データ算出処理部２０から受けた伝送路特性データをシンボル方向（時間方向）に補間するためのフィルタリング処理を実行し、図４において＊印を付したサブキャリアに対する伝送路特性を求める。
【００３４】
図５（ａ）は、シンボル方向補間処理部２１によりシンボル方向（時間方向）に補間された伝送路特性データの一例を示す図である。
図５（ａ）の周波数軸上に付した○印は、伝送路特性データの値が存在する周波数点を示している。
ここで、シンボル方向補間処理部２１によりシンボル方向（時間方向）に補間された伝送路特性データは、図５（ａ）に示すように、２つのサブキャリアに該当する２つの周波数点ずつ間隔をあけた各周波数点において、ゼロでない値を有する。
シンボル方向補間処理部２１は、シンボル方向（時間方向）に補間した伝送路特性データを、サブキャリア方向補間処理部２２に送る。
【００３５】
サブキャリア方向補間処理部２２は、シンボル方向補間処理部２１から伝送路特性データを受けると、特性データＩＦＦＴ処理部３０がこの伝送路特性データを逆フーリエ変換して特性データ調整処理部３１に送る。
これにより、伝送路特性データは、周波数軸上のデータから時間軸上のデータに変換される。
【００３６】
図５（ｂ）は、特性データＩＦＦＴ処理部３０の逆フーリエ変換により、時間軸上のデータに変換された伝送路特性データの一例を示す図である。
特性データＩＦＦＴ処理部３０は、逆フーリエ変換した伝送路特性データを特性データ調整処理部３１に送る。
【００３７】
特性データ調整処理部３１は、特性データＩＦＦＴ処理部３０から受けた伝送路特性データのうちの一部を抽出し、残りのデータをゼロとして削除する。
例えば、特性データ調整処理部３１は、図５（ｂ）に示す時間軸上の伝送路特性データのうち、特性データＩＦＦＴ処理部３０が逆フーリエ変換した際のサンプル数の３分の１に相当する領域Ａに属するデータのみを有効として抽出する。
また、特性データ調整処理部３１は、領域Ａ以外の領域Ｂに属するデータをゼロとして削除したのち、特性データＦＦＴ処理部３２に送る。
【００３８】
ここで、図５（ｂ）に示す時間軸上の伝送路特性データのうち、領域Ｂに属するデータには、図５（ａ）に示したように伝送路特性データが２つのサブキャリアおきにしかゼロでない（非ゼロの）値を有しないことに起因する高調波成分が含まれる。
従って、特性データ調整処理部３１が領域Ａに属するデータのみを有効として抽出し、特性データＦＦＴ処理部３２に供給することにより、伝送路特性データの低周波成分のみを取り出すことができ、伝送路特性データのサブキャリア方向（周波数方向）への補間が可能となる。
【００３９】
こうして、特性データ調整処理部３１が所定の領域Ａに属するデータのみを有効として抽出することから、例えばＬＰＦ（Low Pass Filter）を用いてフィルタリングする場合とは異なり、通過帯域のリップル（脈動）等の影響を受けることがない。従って、伝送路特性データに誤差が生じることを防止できる。
【００４０】
特性データＦＦＴ処理部３２は、特性データ調整処理部３１から受けた伝送路特性データをフーリエ変換して、時間軸上の時系列データから周波数軸上の周波数成分データに変換する。
これにより、例えば図５（ｃ）に示すような、サブキャリア方向（周波数方向）に補間された伝送路特性データが生成される。すなわち、図４において−印を付したサブキャリアに対する伝送路特性データを特定し、全サブキャリアに対する伝送路特性データを得ることができる。
特性データＦＦＴ処理部３２は、フーリエ変換した伝送路特性データを等化演算処理部２３に送る。
【００４１】
等化演算処理部２３は、特性データＦＦＴ処理部３２から受けた伝送路特性データを用いて、ＦＦＴ回路１０から受けた受信信号データを複素除算するなどの複素演算を実行して、受信信号データを等化する。
等化演算処理部２３は、等化処理を施した受信信号データを、デマッパ回路１２に送る。
【００４２】
デマッパ回路１２は、等化演算処理部２３により等化処理が施された受信信号データを用いて伝送データを復元し、デインターリーブ回路等の伝送データを処理する回路等に出力する。
【００４３】
以上説明したように、この発明によれば、伝送路特性データをサブキャリア方向（周波数方向）に補間する際に、伝送路特性データを逆フーリエ変換し、所定の領域に属するデータのみを有効として抽出することで、伝送路特性データに含まれる高調波成分を除去することができる。
これにより、ＬＰＦ（Low Pass Filter）を用いてフィルタリングする場合のような誤差が伝送路特性データに生じることを防止でき、受信信号データを適切に等化して、正しい伝送データを復元することができる。
【００４４】
この発明は、上記実施の形態に限定されず、様々な変形及び応用が可能である。
例えば、上記実施の形態では、特性データ調整処理部３１が、特性データＩＦＦＴ処理部３０により逆フーリエ変換された伝送路特性データのうち、サンプル数の３分の１に相当する領域のデータのみを抽出するものとして説明したが、これに限定されない。
すなわち、例えば、特性データ調整処理部３１は、ＳＰ信号を伝送したサブキャリアに対する伝送路特性データを逆フーリエ変換することにより得られた遅延プロファイルを用いて、抽出するデータを特定するようにしてもよい。
【００４５】
この場合、図６に示すように、サブキャリア方向補間処理部２２は、特性データ算出処理部２０により求められた伝送路特性データから遅延プロファイルを作成するための遅延プロファイル作成処理部４０を備える。遅延プロファイル作成処理部４０は、特性データ算出処理部２０がＳＰ信号を伝送したサブキャリアのみに対して求めた伝送路特性データを逆フーリエ変換することにより、遅延プロファイルを作成し、特性データ調整処理部３１に供給する。
【００４６】
このような構成において、例えば、特性データ調整処理部３１は、遅延プロファイル作成処理部４０により作成された遅延プロファイルを用いて、直接波のガードインターバル区間に相当する領域を、データ抽出領域として特定する。すなわち、特性データ調整処理部３１は、遅延プロファイルにおいて、直接波に相当する成分から、直接波よりガードインターバル区間だけ遅延した遅延波に相当する成分までが含まれる領域を、データ抽出領域として特定する。
特性データ調整処理部３１は、特性データＩＦＦＴ処理部３０から受けた伝送路特性データのうち、データ抽出領域に含まれるデータを有効として抽出し、他のデータをゼロとして削除したのち、特性データＦＦＴ処理部３２に供給してもよい。
【００４７】
ここで、ガードインターバル区間は、直交周波数分割多重方式において有効シンボル区間の間に設けられ、有効シンボル区間の波形を巡回的に繰り返した冗長な信号区間である。
直交周波数分割多重方式を用いた通常のシステムでは、ガードインターバル区間を越える遅延を生じさせるマルチパスが発生しないようにサービスエリアが構築される。従って、特性データ調整処理部３１が直接波のガードインターバル区間に相当する領域のデータのみを抽出することで、より誤差の少ない伝送路特性データを求めることができる。
【００４８】
あるいは、特性データ調整処理部３１は、遅延プロファイル作成処理部４０により作成された遅延プロファイルを用いてマルチパス成分を特定し、直接波に相当する成分から、最長経路となる遅延波に相当する成分までが含まれる領域をデータ抽出領域として特定し、データを抽出・削除するようにしてもよい。
【００４９】
また、特性データ調整処理部３１は、遅延プロファイル作成処理部４０により作成された遅延プロファイルから、予め定めた閾値より大きな値を有する成分を特定し、特性データＩＦＦＴ処理部３０から受けた伝送路特性データのうち、特定した成分に相当するデータのみを有効として抽出するようにしてもよい。
【００５０】
また、受信信号データを等化するための演算も、上記実施の形態に限定されるものではなく、任意に変更可能である。
例えば、ＳＰ信号を伝送したサブキャリアに対する伝送路特性データとして、基準用のＳＰ信号を、受信信号データから抽出したサブキャリアで複素除算したデータを利用してもよい。このデータは、上記実施の形態における伝送路特性データの逆数に相当し、等化演算処理部２３は複素乗算を実行することにより、受信信号データを等化することができる。
【００５１】
【発明の効果】
以上の説明のように、この発明によれば、伝送路特性データをサブキャリア方向（周波数方向）に補間する際に、伝送路特性データを逆フーリエ変換し、所定の領域に属するデータのみを有効として抽出し、他のデータをゼロとしてフーリエ変換することで、伝送路特性データに誤差が生じることを防止できる。
これにより、受信信号データを適切に等化して、正しい伝送データを復元することができる。
【図面の簡単な説明】
【図１】この発明の実施の形態に係る直交周波数分割多重信号受信装置の構成を示す図である。
【図２】等化処理回路の構成を示す図である。
【図３】サブキャリア方向補間処理部の構成を示す図である。
【図４】直交周波数分割多重信号の構成を示す図である。
【図５】サブキャリア方向補間処理部が伝送路特性データを補間する動作を説明するための図である。
【図６】この発明の実施の形態に係る直交周波数分割多重信号受信装置の変形例における、サブキャリア方向補間処理部の構成を示す図である。
【符号の説明】
１０    ＦＦＴ回路
１１    等化処理回路
１２    デマッパ回路
２０    特性データ算出処理部
２１    シンボル方向補間処理部
２２    サブキャリア方向補間処理部
２３    等化演算処理部
３０    特性データＩＦＦＴ処理部
３１    特性データ調整処理部
３２    特性データＦＦＴ処理部
４０    遅延プロファイル作成処理部
１００    直交周波数分割多重信号受信装置
【図１】
0004460738.tif 000002
【図２】
0004460738.tif 000003
【図３】
0004460738.tif 000004
【図４】
0004460738.tif 000005
【図５】
0004460738.tif 000006
【図６】
0004460738.tif 000007